(57)【要約】【課題】ネットワーク管理者の負担を軽減すること。【解決手段】第１ＮＭＳ３０側の第１レイヤの構成に関する第１構成情報（リンク等）と第２ＮＭＳ６０側の第２レイヤの構成に関する第２構成情報（パス等）との対応関係をテーブル１２０１  〜１２０５  により管理し、構成の変更に伴って該第１構成情報、該第２構成情報を自動更新する制御部１０３を備え、制御部１０３は、第１レイヤ、第２レイヤのうちいずれか一方のレイヤで構成の変更がある場合、変更を要する他方のレイヤに構成の変更を指示する。【選択図】      図３
2004304728.tif 000002
【特許請求の範囲】
【請求項１】
コンピュータを、
第１ネットワークレイヤの構成に関する第１構成情報と第２ネットワークレイヤの構成に関する第２構成情報との対応関係を管理し、構成の変更に伴って該第１構成情報、該第２構成情報を自動更新する管理手段、
前記第１ネットワークレイヤ、前記第２ネットワークレイヤのうちいずれか一方のネットワークレイヤで構成の変更がある場合、変更を要する他方のネットワークレイヤに構成の変更を指示する連携手段、
として機能させるためのネットワークレイヤ連携プログラム。
【請求項２】
前記連携手段は、前記第１ネットワークレイヤで帯域幅の変更がある場合、前記第２ネットワークレイヤへ前記帯域幅の変更に関連する変更指示を出すことを特徴とする請求項１に記載のネットワークレイヤ連携プログラム。
【請求項３】
第１ネットワークレイヤの構成に関する第１構成情報と第２ネットワークレイヤの構成に関する第２構成情報との対応関係を管理し、構成の変更に伴って該第１構成情報、該第２構成情報を自動更新する管理手段と、
前記第１ネットワークレイヤ、前記第２ネットワークレイヤのうちいずれか一方のネットワークレイヤで構成の変更がある場合、変更を要する他方のネットワークレイヤに構成の変更を指示する連携手段と、
を備えたことを特徴とするネットワークレイヤ連携装置。
【請求項４】
前記連携手段は、前記第１ネットワークレイヤで帯域幅の変更がある場合、前記第２ネットワークレイヤへ前記帯域幅の変更に関連する変更指示を出すことを特徴とする請求項３に記載のネットワークレイヤ連携装置。
【請求項５】
第１ネットワークレイヤの構成に関する第１構成情報と第２ネットワークレイヤの構成に関する第２構成情報との対応関係を管理し、構成の変更に伴って該第１構成情報、該第２構成情報を自動更新する管理工程と、
前記第１ネットワークレイヤ、前記第２ネットワークレイヤのうちいずれか一方のネットワークレイヤで構成の変更がある場合、変更を要する他方のネットワークレイヤに構成の変更を指示する連携工程と、
を含むことを特徴とするネットワークレイヤ連携方法。
【発明の詳細な説明】
【０００１】
【発明の属する技術分野】
本発明は、異なる伝送規格を用いたネットワークシステムに用いられるネットワークレイヤ連携プログラム、ネットワークレイヤ連携装置およびネットワークレイヤ連携方法に関するものであり、特に、ネットワーク管理者の負担を軽減することができるネットワークレイヤ連携プログラム、ネットワークレイヤ連携装置およびネットワークレイヤ連携方法を提供することを目的とする。
【０００２】
【従来の技術】
図４０は、従来の階層型ネットワークのシステム構成を示すブロック図である。同図において、第１伝送装置１０１  および第１伝送装置１０２  は、第１伝送規格（例えば、ＩＥＥＥ８０２委員会が標準化したＬＡＮ（Ｌｏｃａｌ  Ａｒｅａ  Ｎｅｔｗｏｒｋ）に関する規定）に基づいて、リンクＬ５００でパケットを伝送する装置である。
【０００３】
第１ＥＭＳ（Ｅｌｅｍｅｎｔ  Ｍａｎａｇｅｍｅｎｔ  Ｓｙｓｔｅｍ：装置管理システム）２０１  は、再起動、リンクの設定や解除等について、第１伝送装置１０１  を直接管理する。第１ＥＭＳ２０２  も、第１ＥＭＳ２０１  と同様にして、再起動、リンクの設定や解除等について、第１伝送装置１０２  を直接管理する。
【０００４】
第１ＮＭＳ３０は、第１ＥＭＳ２０１  および第１ＥＭＳ２０２  の上位システムであり、ネットワーク管理者により、操作される。この第１ＮＭＳ３０は、ネットワーク管理者からのコマンドに基づいて、第１ＥＭＳ２０１  および第１ＥＭＳ２０２  に第１伝送装置１０１  および第１伝送装置１０２  の管理を実行させる。
【０００５】
これらの第１伝送装置１０１  、第１伝送装置１０２  、第１ＥＭＳ２０１  、第１ＥＭＳ２０２  および第１ＮＭＳ３０は、第１レイヤに属している。
【０００６】
一方、第２伝送装置４０１  および第２伝送装置４０２  は、第１伝送装置１０１  と第１伝送装置１０２  とが地理的に遠く離れておりパケットを伝送する場合に用いられ、第１伝送装置１０１  と第１伝送装置１０２  との間に設けられている。
【０００７】
これらの第２伝送装置４０１  および第２伝送装置４０２  は、第２伝送規格（例えば、ＳＯＮＥＴ（Ｓｙｎｃｈｒｏｎｏｕｓ  Ｏｐｔｉｃａｌ  ＮＥＴｗｏｒｋ））を用いて、複数のノードを経由するパス（同図では、パスＰ４００）を提供する。第１伝送装置１０１  および第１伝送装置１０２  は、第２伝送装置４０１  および第２伝送装置４０２  により提供されたパスＰ４００を、一つの仮想的な物理リンク（同図では、リンクＬ５００）として利用する。
【０００８】
これらの第１伝送装置１０１  、第２伝送装置４０１  、第２伝送装置４０２  および第１伝送装置１０２  は、物理的なネットワーク７０を介して接続されている。
【０００９】
第２ＥＭＳ５０１  は、再起動、パスの設定や解除等について、第２伝送装置４０１  および第２伝送装置４０２  を直接管理する。第２ＮＭＳ６０は、第２ＥＭＳ５０１  の上位システムであり、ネットワーク管理者により、操作される。この第２ＮＭＳ６０は、ネットワーク管理者からのコマンドに基づいて、第２ＥＭＳ５０１  に第２伝送装置４０１  または第２伝送装置４０２  の管理を実行させる。
【００１０】
これらの第２伝送装置４０１  、第２伝送装置４０２  、第２ＥＭＳ５０１  および第２ＮＭＳ６０は、上述した第１レイヤとは異なる第２レイヤに属している。これらの第１レイヤと第２レイヤとは、相互に連携していないため、独立的に運用される。
【００１１】
【特許文献１】
特開２００２−３３７６７号公報
【特許文献２】
特開２００１−３６５８７号公報
【特許文献３】
特開２００２−８４２８０号公報
【００１２】
【発明が解決しようとする課題】
ところで、前述したように、従来においては、第１伝送規格に対応する第１ＮＭＳ３０側の第１レイヤと、第２伝送規格に対応する第２ＮＭＳ６０側の第２レイヤとの連携がとられておらず、独立的な運用をしなければならないため、ネットワーク管理者の負担が大きくなるという問題があった。
【００１３】
このため、ネットワーク管理者は、リンクとパスとの相互関係の調査を行い、第１伝送装置１０１  および第１伝送装置１０２  の仕様、第２伝送装置４０１  および第２伝送装置４０２  の仕様を理解した上で、第１ＮＭＳ３０でリンク設定のオペレーションを行った後、第２ＮＭＳ６０でパス設定のオペレーションを行うという複雑なオペレーションを強いられるのである。
【００１４】
本発明は、上記に鑑みてなされたもので、ネットワーク管理者の負担を軽減することができるネットワークレイヤ連携プログラム、ネットワークレイヤ連携装置およびネットワークレイヤ連携方法を提供することを目的とする。
【００１５】
【課題を解決するための手段】
上記目的を達成するために、本発明は、コンピュータを、第１ネットワークレイヤの構成に関する第１構成情報と第２ネットワークレイヤの構成に関する第２構成情報との対応関係を管理し、構成の変更に伴って該第１構成情報、該第２構成情報を自動更新する管理手段、前記第１ネットワークレイヤ、前記第２ネットワークレイヤのうちいずれか一方のネットワークレイヤで構成の変更がある場合、変更を要する他方のネットワークレイヤに構成の変更を指示する連携手段、として機能させるためのネットワークレイヤ連携プログラムである。
【００１６】
また、本発明は、第１ネットワークレイヤの構成に関する第１構成情報と第２ネットワークレイヤの構成に関する第２構成情報との対応関係を管理し、構成の変更に伴って該第１構成情報、該第２構成情報を自動更新する管理手段と、前記第１ネットワークレイヤ、前記第２ネットワークレイヤのうちいずれか一方のネットワークレイヤで構成の変更がある場合、変更を要する他方のネットワークレイヤに構成の変更を指示する連携手段と、を備えたことを特徴とする。
【００１７】
また、本発明は、第１ネットワークレイヤの構成に関する第１構成情報と第２ネットワークレイヤの構成に関する第２構成情報との対応関係を管理し、構成の変更に伴って該第１構成情報、該第２構成情報を自動更新する管理工程と、前記第１ネットワークレイヤ、前記第２ネットワークレイヤのうちいずれか一方のネットワークレイヤで構成の変更がある場合、変更を要する他方のネットワークレイヤに構成の変更を指示する連携工程と、を含むことを特徴とする。
【００１８】
かかる発明によれば、第１ネットワークレイヤの構成に関する第１構成情報と第２ネットワークレイヤの構成に関する第２構成情報との対応関係を管理し、構成の変更に伴って該第１構成情報、該第２構成情報を自動更新し、第１ネットワークレイヤ、第２ネットワークレイヤのうちいずれか一方のネットワークレイヤで構成の変更がある場合、変更を要する他方のネットワークレイヤに構成の変更を指示することとしたので、ネットワーク管理者の負担を軽減することができる。
【００１９】
【発明の実施の形態】
以下、図面を参照して本発明にかかるネットワークレイヤ連携プログラム、ネットワークレイヤ連携装置およびネットワークレイヤ連携方法の実施の形態１〜３について詳細に説明する。
【００２０】
（実施の形態１）
図１は、本発明にかかる実施の形態１の構成を示すブロック図である。図２は、同実施の形態１における各部の階層構造を表すブロック図である。これらの図において、図４０の各部に対応する部分には同一の符号を付ける。
【００２１】
図１および図２においては、ネットワークレイヤ連携装置１００が新たに設けられている。また、図１および図２においては、第１伝送装置１０１  、第１伝送装置１０２  、第１ＥＭＳ２０１  、第１ＥＭＳ２０２  、第１ＮＭＳ３０、第２ＥＭＳ５０１  、第２ＮＭＳ６０およびネットワークレイヤ連携装置１００のそれぞれには、ＩＰ（Ｉｎｔｅｒｎｅｔ  Ｐｒｏｔｏｃｏｌ  ）アドレスとして、１０．２０．２４０．２０、１０．２０．２４０．２１、１０．２０．２４４．３０、１０．２０．２４４．３１、１０．２０．２４４．５、１０．２０．２４４．４０、１０．２０．２４４．３および１０．２０．２４４．１がそれぞれ付与されている。
【００２２】
ここで、以下では、第１ＮＭＳ３０に付与されたＩＰアドレス（１０．２０．２４４．５）と、第２ＮＭＳ６０に付与されたＩＰアドレス（１０．２０．２４４．３）とのそれぞれをＮＭＳ識別子と称する。
【００２３】
図１において、管理ネットワーク８０は、第１伝送装置１０１  、第１伝送装置１０２  、第１ＥＭＳ２０１  、第１ＥＭＳ２０２  、第２伝送装置４０１  、第２伝送装置４０２  および第２ＥＭＳ５０１  に接続されている。
【００２４】
また、管理ネットワーク９０は、第１ＥＭＳ２０１  、第１ＥＭＳ２０２  、第１ＮＭＳ３０、第２ＥＭＳ５０１  、第２ＮＭＳ６０およびネットワークレイヤ連携装置１００に接続されている。
【００２５】
また、実施の形態１において、図２に示した第２ＮＭＳ６０は、第２ＥＭＳ５０１  に加えて、第１ＥＭＳ２０１  および第１ＥＭＳ２０２  にもアクセス可能とされている。
【００２６】
ネットワークレイヤ連携装置１００は、第１ＮＭＳ３０側の第１レイヤ（第１伝送規格）と、第２ＮＭＳ６０側の第２レイヤ（第２伝送規格）との間の連携をとる装置である。図３は、図１および図２に示したネットワークレイヤ連携装置１００の構成を示すブロック図である。
【００２７】
同図に示したネットワークレイヤ連携装置１００において、表示部１０１は、ネットワーク管理者向けに各種情報を表示する機能を備えている。入力部１０２は、キーボードやマウス等であり、各種情報の入力に用いられる。制御部１０３は、上述した連携を実現するための各種制御を行う。この制御部１０３の動作の詳細については、後述する。管理システム通信部１０４は、第１ＮＭＳ３０および第２ＮＭＳ６０との間の通信を制御する。
【００２８】
テーブル格納部１１０には、テーブル１２０１  〜１２０５  が格納されている。以下では、テーブル１２０１  〜１２０５  について、図４〜図８を参照しつつ説明する。
【００２９】
図４に示したテーブル１２０１  は、「リンク識別子」、「パス識別子」、「設定規格」および「連結数」というフィールドを備えている。「リンク識別子」は、第１伝送装置１０１  および第１伝送装置１０２  で設定されたリンクを識別するための識別子である。
【００３０】
「パス識別子」は、第２伝送装置４０１  および第２伝送装置４０２  で設定されたパスを識別するための識別子である。「設定規格」は、上記設定に用いられる規格である。「連結数」は、一つのリンク、パスを構成する場合に、所定の帯域幅を有する伝送路が何本束ねられているかを表す数である。
【００３１】
図５に示したテーブル１２０２  は、「リンク識別子」、「実施可能設定規格」および「連結数」というフィールドを備えている。「リンク識別子」は、第１伝送装置１０１  および第１伝送装置１０２  で設定可能なリンクを識別するための識別子である。「実施可能設定規格」は、上記リンクで実施可能な設定規格を表す。「連結数」は、一つのリンクを構成する場合に、所定の帯域幅を有する伝送路が何本束ねられているかを表す数である。
【００３２】
図６に示したテーブル１２０３  は、「パス識別子」、「実施可能設定規格」および「帯域幅」というフィールドを備えている。「パス識別子」は、第２伝送装置４０１  および第２伝送装置４０２  で設定可能なパスを識別するための識別子である。「実施可能設定規格」は、上記パスで実施可能な設定規格を表す。「帯域幅」は、当該パスの帯域幅を表す。
【００３３】
図７に示したテーブル１２０４  は、「伝送規格」、「リンク／パス識別子」および「ＮＭＳ識別子」というフィールドを備えている。「伝送規格」は、前述した第１伝送規格または第２伝送規格を表す。「リンク／パス識別子」は、リンク識別子またはパス識別子を表す。「ＮＭＳ識別子」は、前述したように、第１ＮＭＳ３０または第２ＮＭＳ６０を識別するための識別子である。
【００３４】
図８に示したテーブル１２０５  は、「伝送規格」および「ＮＭＳ識別子」というフィールドを備えている。「伝送規格」は、前述した第１伝送規格または第２伝送規格を表す。「ＮＭＳ識別子」は、第１ＮＭＳ３０または第２ＮＭＳ６０を識別するための識別子である。
【００３５】
つぎに、実施の形態１の動作について、図９〜図１２に示したフローチャートおよび図１３〜図１９を参照しつつ説明する。図９は、実施の形態１におけるネットワークレイヤ連携装置１００（図１〜図３参照）の動作を説明するフローチャートである。
【００３６】
同図に示したステップＳＡ１では、ネットワークレイヤ連携装置１００の制御部１０３（図３参照）は、第１ＮＭＳ３０からリンク帯域幅設定通知があるか否かを判断し、この場合、判断結果を「Ｎｏ」とする。
【００３７】
ここで、第１ＮＭＳ３０は、ネットワーク管理者の指示に基づいて、図１に示した第１伝送装置１０１  および第１伝送装置１０２  を利用して、リンク（例えば、リンクＬ５００）の帯域幅を設定（変更等）した場合に、ネットワークレイヤ連携装置１００に対して、リンク帯域幅設定通知を出す。
【００３８】
図９に戻り、ステップＳＡ２では、制御部１０３は、第２ＮＭＳ６０からパス設定通知があるか否かを判断し、この場合、判断結果を「Ｎｏ」とする。ここで、第２ＮＭＳ６０は、ネットワーク管理者の指示に基づいて、図１に示した第２伝送装置４０１  および第２伝送装置４０２  を利用して、パス（例えば、パスＰ４００）を設定した場合に、ネットワークレイヤ連携装置１００に対して、パス設定通知を出す。
【００３９】
図９に戻り、ステップＳＡ３では、制御部１０３は、第２ＮＭＳ６０からパス設定解除通知があるか否かを判断し、この場合、判断結果を「Ｎｏ」とする。ここで、第２ＮＭＳ６０は、ネットワーク管理者の指示に基づいて、図１に示した第２伝送装置４０１  および第２伝送装置４０２  を利用して、パス（例えば、パスＰ４００）の設定を解除した場合に、ネットワークレイヤ連携装置１００に対して、パス設定解除通知を出す。以後、制御部１０３は、ステップＳＡ１〜ステップＳＡ３を繰り返す。
【００４０】
そして、ネットワーク管理者は、リンクＬ５００の帯域幅を設定すべく、第１ＮＭＳ３０に、リンクＬ５００に対応するリンク識別子（＝５００）と、要求帯域幅（＝５００Ｍｂｐｓ）を入力する。第１ＮＭＳ３０は、ネットワークレイヤ連携装置１００に対して、リンク帯域幅設定通知を出す。
【００４１】
これにより、ネットワークレイヤ連携装置１００の制御部１０３は、図９に示したステップＳＡ１の判断結果を「Ｙｅｓ」とする。この時点では、図３に示したテーブル１２０１  〜１２０４  のそれぞれは、図１３に示した内容とされている。ステップＳＡ４では、制御部１０３は、リンク帯域幅設定処理を実行する。
【００４２】
具体的には、図１０に示したステップＳＢ１では、制御部１０３は、第１ＮＭＳ３０から、ネットワーク管理者により入力されたリンク識別子（＝５００）および要求帯域幅（＝５００Ｍｂｐｓ）を取得する。
【００４３】
ステップＳＢ２では、制御部１０３は、ステップＳＢ１で取得したリンク識別子（＝５００）をキーとして、図１３に示したテーブル１２０１  からパス識別子（＝４００）を取得する。
【００４４】
ステップＳＢ３では、制御部１０３は、ステップＳＢ２でパス識別子を取得できたか否かを判断し、この場合、判断結果を「Ｙｅｓ」とする。なお、ステップＳＢ３の判断結果が「Ｎｏ」である場合、ステップＳＢ１５では、当該処理の起動元（この場合、第１ＮＭＳ３０）へ異常終了を通知する。
【００４５】
ステップＳＢ４では、制御部１０３は、ステップＳＢ２で取得したパス識別子（＝４００）をキーとして、テーブル１２０３（図１３参照）から実施可能設定規格および帯域幅を第１リストとして取得する。この場合、第１リストは、（ＳＴＳ−３ｃ，１５０Ｍｂｐｓ）および（ＳＴＳ−２４ｃ，  １．２４Ｇｂｐｓ）から構成されている。
【００４６】
ステップＳＢ５では、制御部１０３は、ステップＳＢ１で取得したリンク識別子（＝５００）をキーとして、テーブル１２０２（図１３参照）から実施可能設定規格および連結数を第２リストとして取得する。この場合、第２リストは、  （ＧｂＥ，  １）、（ＳＴＳ−３ｃ，  １）、（ＳＴＳ−３ｃ，  ４）、（ＳＴＳ−３ｃ，  ８）および（ＳＴＳ−２４ｃ，  １）から構成されている。
【００４７】
ステップＳＢ６では、制御部１０３は、第２リストから、第１リストにある実施可能設定規格と一致するエントリ（実施可能設定規格）を抽出する。言い換えれば、制御部１０３は、第２リストおよび第１リストにおいて、共通の実施可能設定規格を抽出する。図１３に示した例では、ステップＳＢ６で、実施可能設定規格として（ＳＴＳ−３ｃ）および（ＳＴＣ−２４ｃ）を含むエントリが抽出される。
【００４８】
ステップＳＢ７では、制御部１０３は、ステップＳＢ６で抽出された各エントリについて、第１リストの帯域幅に連結数を乗算し、帯域幅を算出する。この場合、（ＳＴＳ−３ｃ，  １）で提供できる帯域幅は、１５０Ｍｂｐｓである。（ＳＴＳ−３ｃ，  ４）で提供できる帯域幅は、６００Ｍｂｐｓである。（ＳＴＳ−３ｃ，  ８）で提供できる帯域幅は１．２０Ｇｂｐｓである。また、（ＳＴＳ−２４ｃ，  １）で提供できる帯域幅は１．２４Ｇｂｐｓである。以下に、帯域幅の算出結果を列挙する。
【００４９】
・（ＳＴＳ−３ｃ，  １）、１５０Ｍｂｐｓ
・（ＳＴＳ−３ｃ，  ４）、６００Ｍｂｐｓ
・（ＳＴＳ−３ｃ，  ８）、１．２０Ｇｂｐｓ
・（ＳＴＳ−２４ｃ，  １）、１．２４Ｇｂｐｓ
【００５０】
ステップＳＢ８では、制御部１０３は、上記算出結果から要求帯域幅（＝５００Ｍｂｐｓ）以上の値でかつ最小のエントリとして、（ＳＴＳ−３ｃ，  ４）、６００Ｍｂｐｓを抽出する。
【００５１】
ステップＳＢ９では、制御部１０３は、ステップＳＢ８でエントリを抽出できたか否かを判断し、この場合、判断結果を「Ｙｅｓ」とする。なお、ステップＳＢ９の判断結果が「Ｎｏ」である場合、制御部１０３は、ステップＳＢ１５の処理を実行する。
【００５２】
ステップＳＢ１０では、制御部１０３は、ステップＳＢ２で取得したパス識別子（＝４００）をキーとして、図１３に示したテーブル１２０４  からＮＭＳ識別子（この場合、１０．２０．２４４．３）を取得する。
【００５３】
ステップＳＢ１１では、制御部１０３は、ステップＳＢ１０で取得したＮＭＳ識別子（＝１０．２０．２４４．３）に対応する第２ＮＭＳ６０へパス変更コマンド（例えば、ｍｏｄｉｆｙ（４００，  ＳＴＳ−３ｃ，  ４））を通知する。
【００５４】
このパス変更コマンド（ｍｏｄｉｆｙ（４００，  ＳＴＳ−３ｃ，  ４））は、ステップＳＢ２で取得したパス識別子（＝４００）に対応するパスＰ４００について、設定規格をＳＴＳ−３ｃ、連結数を４として変更することを指示するためのコマンドである。なお、パス変更コマンドの（ＳＴＳ−３ｃ，  ４）は、ステップＳＢ８で抽出されたエントリである。
【００５５】
上記パス変更コマンドが通知されると、第２ＮＭＳ６０は、第２ＥＭＳ５０１  、第１ＥＭＳ２０１  および第１ＥＭＳ２０２  にパスの変更を実行させる。そして、パスの変更に成功した場合、第２ＮＭＳ６０は、ネットワークレイヤ連携装置１００へ正常終了（ｔｒｕｅ）を通知する。一方、パスの変更に失敗した場合、第２ＮＭＳ６０は、ネットワークレイヤ連携装置１００へ異常終了（ｆａｌｓｅ）を通知する。
【００５６】
ステップＳＢ１２では、ネットワークレイヤ連携装置１００の制御部１０３は、第２ＮＭＳ６０よりパスの変更に関して正常終了が通知されたか否かを判断し、この場合、判断結果を「Ｙｅｓ」とする。なお、ステップＳＢ１２の判断結果が「Ｎｏ」である場合、制御部１０３は、ステップＳＢ１５の処理を実行する。
【００５７】
ステップＳＢ１３では、制御部１０３は、パスの変更を受けて、パス識別子（＝４００）に対応する、テーブル１２０１  のエントリを更新する。この場合、図１３に示したテーブル１２０１  のパス識別子（＝４００）のエントリにおける連結数が１から４（図１４参照）に更新される。図１４は、上述したリンク帯域幅設定処理を実行した後の各テーブルを示す図である。
【００５８】
図１０へ戻り、ステップＳＢ１４では、制御部１０３は、当該処理の起動元（この場合、第１ＮＭＳ３０）へ正常終了を通知した後、図９に示したメインルーチンへ戻る。
【００５９】
また、ネットワーク管理者は、図１５に示した第１伝送装置１０１  と第１伝送装置１０２  との間に１つのＳＴＳ−３ｃのパスＰ４００の設定をすべく、第２ＮＭＳ６０に、パス識別子（この場合、４００）、実施可能設定規格（この場合、ＳＴＳ−３ｃ）および終端点識別子情報を入力する。
【００６０】
この場合、終端点識別子情報としては、１０．２０．２４４．３０−１０．２０．２４０．２０−３が入力される。この終端点識別子情報において、１０．２０．２４４．３０は、第１ＥＭＳ２０１  のＩＰアドレスである。１０．２０．２４０．２０は、第１伝送装置１０１  のＩＰアドレスである。３は、第１伝送装置１０１  に対応する終端点識別子である。
【００６１】
さらに、終端点識別子情報としては、１０．２０．２４４．３１−１０．２０．２４０．２１−５が入力される。この終端点識別子情報において、１０．２０．２４４．３１は、第１ＥＭＳ２０２  のＩＰアドレスである。１０．２０．２４０．２１は、第１伝送装置１０２  のＩＰアドレスである。５は、第１伝送装置１０２  に対応する終端点識別子である。
【００６２】
これにより、第２ＮＭＳ６０は、ネットワーク管理者により入力された情報に基づいて、図１５に示したパスＰ４００（実施可能設定規格：ＳＴＳ−３ｃ、パス識別子：４００）を設定した後、ネットワークレイヤ連携装置１００へパス設定通知を出す。
【００６３】
これにより、ネットワークレイヤ連携装置１００の制御部１０３は、図９に示したステップＳＡ２の判断結果を「Ｙｅｓ」とする。ステップＳＡ５では、制御部１０３は、テーブル登録処理を実行する。
【００６４】
具体的には、図１１に示したステップＳＣ１では、制御部１０３は、第２ＮＭＳ６０から、上述したパス識別子（＝４００）、実施可能設定規格（＝ＳＴＳ−３ｃ）および終端点識別子情報（１０．２０．２４４．３０−１０．２０．２４０．２０−３、１０．２０．２４４．３１−１０．２０．２４０．２１−５）を取得する。
【００６５】
ステップＳＣ２では、制御部１０３は、ステップＳＣ１で取得した１０．２０．２４４．３０に対応する第１ＥＭＳ２０１  に、第１伝送装置１０１  に収容される、終端点識別子３以外の他の終端点の有無を問い合わせ、有る場合、当該終端点に対応する終端点識別子および伝送規格を取得する。
【００６６】
ここで、他の終端点の有無は、例えば、第１伝送装置１０１（第１伝送装置１０２）に格納される、ポートの階層化状態を管理するテーブル（ｉｆＳｔａｃｋＴａｂｌｅ（ＩＥＥＥ  ＲＦＣ２２３３に定義））を参照し、スタックされているポートの有無により判断される。
【００６７】
この場合、第１伝送装置１０１  に他の終端点が有るものとし、制御部１０３は、第１ＥＭＳ２０１  から該他の終端点に対応する終端点識別子（＝３００）および伝送規格として第１伝送規格を取得する。
【００６８】
また、制御部１０３は、ステップＳＣ１で取得した１０．２０．２４４．３１に対応する第１ＥＭＳ２０２  に、第１伝送装置１０２  に収容される、終端点識別子５以外の他の終端点の有無を問い合わせる。
【００６９】
この場合、第１伝送装置１０２  に他の終端点が有るものとし、制御部１０３は、第１ＥＭＳ２０２  から該他の終端点に対応する終端点識別子（＝３０１）および伝送規格として第１伝送規格を取得する。
【００７０】
ステップＳＣ３では、制御部１０３は、ステップＳＣ２で他の終端点識別子を取得できたか否かを判断し、この場合、判断結果を「Ｙｅｓ」とする。なお、ステップＳＣ３の判断結果が「Ｎｏ」である場合、ステップＳＣ９では、制御部１０３は、登録エラーを表示部１０１を介してネットワーク管理者へ通知する。
【００７１】
ステップＳＣ４では、制御部１０３は、ステップＳＣ２で取得した伝送規格（この場合、第１伝送規格）をキーとして、図１６に示したテーブル１２０５  からＮＭＳ識別子（この場合、１０．２０．２４４．５）を取得する。図１６は、テーブル登録処理を実行する前の各テーブルを示す図である。
【００７２】
つぎに、ステップＳＣ５では、制御部１０３は、上記ＮＭＳ識別子（＝１０．２０．２４４．５）に対応する第１ＮＭＳ３０（図１５参照）に対して、ステップＳＣ１で取得した終端点識別子の組（この場合、終端点識別子＝３と終端点識別子＝５）に対応する伝送装置（この場合、第１伝送装置１０１  および第１伝送装置１０２  ）を管理しているかを問い合わせる。
【００７３】
ステップＳＣ６では、制御部１０３は、第１ＮＭＳ３０に対して、ステップＳＣ２で取得した他の終端点の終端点識別子（この場合、終端点識別子＝３００、３０１）と、他の終端点間にリンク（例えば、リンク識別子５００）を設定するためのリンク設定コマンドとを通知する。
【００７４】
これにより、第１ＮＭＳ３０は、第１ＥＭＳ２０１  および２０２  に、終端点識別子＝３００および３０１に対応する終端点間にリンクＬ５００（リンク識別子＝５００）を設定させる。
【００７５】
ステップＳＣ７では、ネットワークレイヤ連携装置１００の制御部１０３は、第１ＮＭＳ３０、第２ＮＭＳ６０より、設定されたリンクＬ５００、パスＰ４００に対応するリンク識別子（＝５００）、パス識別子（＝４００）、実施可能設定規格、連結数、帯域幅、伝送規格、ＮＭＳ識別子等を更新情報として取得する。ステップＳＣ８では、制御部１０３は、上記更新情報に基づいて、図１７に示したように、テーブル１２０１  〜１２０４  に新規のエントリを登録した後、図９に示したメインルーチンへ戻る。
【００７６】
また、ネットワーク管理者は、図１に示したパスＰ４００（パス識別子＝４００）の設定を解除（削除）すべく、第２ＮＭＳ６０に、パス設定解除コマンド（例えば、ｒｅｌｅａｓｅ（４００））を入力する。
【００７７】
これにより、第２ＮＭＳ６０は、当該パスの設定解除が可能であるか否かを判定する。例えば、当該パスが試験中の場合には、設定解除が不可とされる。この場合、設定解除が可能であるとすると、第２ＮＭＳ６０は、パスの設定を解除した後、ネットワークレイヤ連携装置１００に対して、パス設定解除通知を出す。
【００７８】
これにより、ネットワークレイヤ連携装置１００の制御部１０３は、図９に示したステップＳＡ３の判断結果を「Ｙｅｓ」とする。ステップＳＡ６では、制御部１０３は、テーブル削除処理を実行する。
【００７９】
具体的には、図１２に示したステップＳＤ１では、制御部１０３は、第２ＮＭＳ６０から、設定解除されたパスに対応するパス識別子（この場合、パス識別子＝４００）を取得する。ステップＳＤ２では、制御部１０３は、上記パス識別子（＝４００）をキーとして、図１８に示したテーブル１２０１  からリンク識別子（この場合、５００）を取得する。図１８は、テーブル削除処理を実行する前の各テーブルを示す図である。
【００８０】
ステップＳＤ３では、制御部１０３は、ステップＳＤ２でリンク識別子を取得できたか否かを判断し、この場合、判断結果を「Ｙｅｓ」とする。なお、ステップＳＤ３の判断結果が「Ｎｏ」である場合、ステップＳＤ９では、制御部１０３は、当該処理の起動元（この場合、第２ＮＭＳ６０）へ異常終了を通知する。
【００８１】
ステップＳＤ４では、制御部１０３は、ステップＳＤ２で取得したリンク識別子（＝５００）をキーとして、図１８に示したテーブル１２０４  からＮＭＳ識別子（この場合、１０．２０．２４４．５）を取得する。
【００８２】
ステップＳＤ５では、制御部１０３は、リンク識別子（＝５００）に対応するリンクＬ５００の設定を解除（削除）すべく、上記ＮＭＳ識別子（＝１０．２０．２４４．５）に対応する第１ＮＭＳ３０へ、リンク設定解除コマンド（例えば、ｒｅｌｅａｓｅ（５００））を通知する。
【００８３】
これにより、第１ＮＭＳ３０は、当該リンクの設定解除が可能であるか否かを判定する。この場合、設定解除が可能であるとすると、第１ＮＭＳ３０は、当該リンクの設定を解除した後、ネットワークレイヤ連携装置１００に対して、正常終了（ｔｒｕｅ）を応答する。なお、解除不可ならば、第１ＮＭＳ３０は、異常終了（ｆａｌｓｅ）を応答する。
【００８４】
ステップＳＤ６では、制御部１０３は、第１ＮＭＳ３０より正常終了が通知されたか否かを判断し、この場合、判断結果を「Ｙｅｓ」とする。なお、この判断結果が「Ｎｏ」である場合、制御部１０３は、ステップＳＤ９の処理を実行する。ステップＳＤ７では、制御部１０３は、図１９に示したように、テーブル１２０１  〜１２０４  から、設定が解除されたパスＰ４００およびリンクＬ５００に対応するパス識別子（＝４００）およびリンク識別子（＝５００）を含むエントリを削除する。
【００８５】
ステップＳＤ８では、制御部１０３は、当該処理の起動元（この場合、第２ＮＭＳ６０）へ正常終了を通知した後、図９に示したメインルーチンへ戻る。
【００８６】
以上説明したように、実施の形態１によれば、第１ＮＭＳ３０側の第１レイヤ（第１ネットワークレイヤ）の構成に関するリンク等（第１構成情報）と、第２ＮＭＳ６０側の第２レイヤ（第２ネットワークレイヤ）の構成に関するパス等（第２構成情報）との対応関係を各テーブルで管理し、構成の変更（リンクの設定、パスの設定、帯域幅の設定等）に伴って該第１構成情報、該第２構成情報を自動更新し、第１レイヤ、第２レイヤのうちいずれか一方のレイヤで構成の変更がある場合、変更を要する他方のレイヤに構成の変更を指示することとしたので、ネットワーク管理者の負担を軽減することができる。
【００８７】
また、実施の形態１によれば、第１ＮＭＳ３０側の第１レイヤで帯域幅の変更がある場合、第２ＮＭＳ６０側の第２レイヤへ帯域幅の変更に関連する変更指示を出すこととしたので、帯域幅変更に伴うネットワーク管理者の負担を軽減することができる。
【００８８】
（実施の形態２）
さて、前述した実施の形態１においては、図１に示したように１つのパスＰ４００の場合について説明したが、１つのパスが複数のサブパスで構成されている場合にも、ネットワークレイヤ連携装置１００による連携が可能である。以下では、この構成例を実施の形態２として説明する。
【００８９】
図２０は、本発明にかかかる実施の形態２の構成を示すブロック図である。この図において、図１の各部に対応する部分には同一の符号を付ける。図２０においては、第２伝送装置４０３  、第２ＥＭＳ５０２  および第２ＮＭＳ６１が新たに設けられている。
【００９０】
第２伝送装置４０３  は、第２伝送装置４０１  および第２伝送装置４０２  と同様の機能を備えている。但し、同図に示した例では、第２伝送装置４０１  〜４０  ３  において、２つのサブパスＳＰ４１０およびＳＰ４１５から構成された一つのパスＰ４００が設定される。第２ＥＭＳ５０２  は、再起動、パスの設定や解除等について、第２伝送装置４０３  を直接管理する。
【００９１】
第２ＮＭＳ６１は、第２ＥＭＳ５０２  の上位システムであり、ネットワーク管理者により、操作される。この第２ＮＭＳ６１は、ネットワーク管理者からのコマンドに基づいて、第２ＥＭＳ５０２  に第２伝送装置４０３  の管理を実行させる。
【００９２】
図２１は、図２０に示したネットワークレイヤ連携装置１００の構成を示すブロック図である。実施の形態２において、ネットワークレイヤ連携装置１００のテーブル格納部１１０には、テーブル１２０６  が新たに格納されている。
【００９３】
このテーブル１２０６  は、図２２に示したように、「パス識別子」、「サブパス識別子」、「設定規格」および「連結数」というフィールドを備えている。「パス識別子」は、第２ＥＭＳ５０１  および第２ＥＭＳ５０２（図２０参照）で設定されたパスを識別するための識別子である。
【００９４】
「サブパス識別子」は、上記パスを構成するサブパスを識別するための識別子である。「設定規格」は、上記設定に用いられる規格である。「連結数」は、当該パスを構成する場合に、所定の帯域幅を有する伝送路が何本束ねられているかを表す数である。
【００９５】
つぎに、実施の形態２の動作について、図９および図２３に示したフローチャートを参照しつつ説明する。
【００９６】
ネットワーク管理者は、リンクＬ５００の帯域幅を設定すべく、第１ＮＭＳ３０に、リンクＬ５００に対応するリンク識別子（＝５００）と、要求帯域幅（＝５００Ｍｂｐｓ）を入力する。第１ＮＭＳ３０は、ネットワークレイヤ連携装置１００に対して、リンク帯域幅設定通知を出す。
【００９７】
これにより、ネットワークレイヤ連携装置１００の制御部１０３は、図９に示したステップＳＡ１の判断結果を「Ｙｅｓ」とする。この時点では、図２１に示したテーブル１２０１  〜１２０４  、テーブル１２０５  のそれぞれは、図２４に示した内容とされている。
【００９８】
なお、実施の形態２において、図２４に示したテーブル１２０３  のパス識別子、およびテーブル１２０４  のリンク／パス識別子には、サブパス識別子も含まれる。ステップＳＡ４では、制御部１０３は、リンク帯域幅設定処理を実行する。
【００９９】
具体的には、図２３に示したステップＳＥ１では、制御部１０３は、第１ＮＭＳ３０から、ネットワーク管理者により入力されたリンク識別子（＝５００）および要求帯域幅（＝５００Ｍｂｐｓ）を取得する。
【０１００】
ステップＳＥ２では、制御部１０３は、ステップＳＥ１で取得したリンク識別子（＝５００）をキーとして、図２４に示したテーブル１２０１  からパス識別子（＝４００）を取得する。
【０１０１】
ステップＳＥ３では、制御部１０３は、ステップＳＥ２でパス識別子を取得できたか否かを判断し、この場合、判断結果を「Ｙｅｓ」とする。なお、ステップＳＥ３の判断結果が「Ｎｏ」である場合、ステップＳＥ１６では、当該処理の起動元（この場合、第１ＮＭＳ３０）へ異常終了を通知する。
【０１０２】
ステップＳＥ４では、制御部１０３は、ステップＳＥ２で取得したパス識別子（＝４００）をキーとして、テーブル１２０６（図２４参照）からサブパス識別子（この場合、４１０および４１５）を取得する。
【０１０３】
ステップＳＥ５では、制御部１０３は、ステップＳＥ２で取得したパス識別子（＝４００）をキーとして、テーブル１２０３（図２４参照）から実施可能設定規格および帯域幅を第１リストとして取得する。この場合、第１リストは、サブパス識別子（＝４１０）に関する（ＳＴＳ−３ｃ，１５０Ｍｂｐｓ）および（ＳＴＳ−２４ｃ，  １．２４Ｇｂｐｓ）と、サブパス識別子（＝４１５）に関する（ＳＴＳ−３ｃ，１５０Ｍｂｐｓ）および（ＳＴＳ−１２ｃ，  ６２２Ｍｂｐｓ）とから構成されている。
【０１０４】
ステップＳＥ６では、制御部１０３は、ステップＳＥ１で取得したリンク識別子（＝５００）をキーとして、テーブル１２０２（図２４参照）から実施可能設定規格および連結数を第２リストとして取得する。この場合、第２リストは、  （ＧｂＥ，  １）、（ＳＴＳ−３ｃ，  １）、（ＳＴＳ−３ｃ，  ４）、（ＳＴＳ−３ｃ，  ８）および（ＳＴＳ−２４ｃ，  １）から構成されている。
【０１０５】
ステップＳＥ７では、制御部１０３は、第２リストから、第１リストにある実施可能設定規格と一致するエントリ（実施可能設定規格）を抽出する。この場合、実施可能設定規格として（ＳＴＳ−３ｃ）を含むエントリが抽出される。
【０１０６】
ステップＳＥ８では、制御部１０３は、ステップＳＥ７で抽出された各エントリについて、第１リストの帯域幅に連結数を乗算し、帯域幅を算出する。この場合、（ＳＴＳ−３ｃ，  １）で提供できる帯域幅は、１５０Ｍｂｐｓである。（ＳＴＳ−３ｃ，  ４）で提供できる帯域幅は、６００Ｍｂｐｓである。（ＳＴＳ−３ｃ，  ８）で提供できる帯域は１．２０Ｇｂｐｓである。以下に、帯域幅の算出結果を列挙する。
【０１０７】
・（ＳＴＳ−３ｃ，  １）、１５０Ｍｂｐｓ
・（ＳＴＳ−３ｃ，  ４）、６００Ｍｂｐｓ
・（ＳＴＳ−３ｃ，  ８）、１．２０Ｇｂｐｓ
・（ＳＴＳ−２４ｃ，  １）、１．２４Ｇｂｐｓ
【０１０８】
ステップＳＥ９では、制御部１０３は、上記算出結果から要求帯域幅（＝５００Ｍｂｐｓ）以上の値でかつ最小のエントリとして、（ＳＴＳ−３ｃ，  ４）、６００Ｍｂｐｓを抽出する。
【０１０９】
ステップＳＥ１０では、制御部１０３は、ステップＳＥ９でエントリを抽出できたか否かを判断し、この場合、判断結果を「Ｙｅｓ」とする。なお、ステップＳＥ１０の判断結果が「Ｎｏ」である場合、制御部１０３は、ステップＳＥ１６の処理を実行する。
【０１１０】
ステップＳＥ１１では、制御部１０３は、ステップＳＥ４で取得したサブパス識別子（＝４１０および４１５）をキーとして、図２４に示したテーブル１２０４  からＮＭＳ識別子（この場合、１０．２０．２４４．３および１０．２０．２４４．１４）を取得する。
【０１１１】
ステップＳＥ１２では、制御部１０３は、ステップＳＥ１１で取得したＮＭＳ識別子（＝１０．２０．２４４．３および１０．２０．２４４．１４）に対応する第２ＮＭＳ６０および第２ＮＭＳ６１へパス変更コマンド（例えば、ｍｏｄｉｆｙ（４１０，  ＳＴＳ−３ｃ，  ４）およびｍｏｄｉｆｙ（４１５，  ＳＴＳ−３ｃ，  ４））を通知する。
【０１１２】
このパス変更コマンド（ｍｏｄｉｆｙ（４１０，  ＳＴＳ−３ｃ，  ４））は、ステップＳＥ４で取得したサブパス識別子（＝４１０）に対応するサブパスＳＰ４１０について、実施可能設定規格をＳＴＳ−３ｃ、連結数を４として変更することを指示するためのコマンドである。
【０１１３】
同様にして、パス変更コマンド（ｍｏｄｉｆｙ（４１５，  ＳＴＳ−３ｃ，  ４））は、ステップＳＥ４で取得したサブパス識別子（＝４１５）に対応するサブパスＳＰ４１５について、実施可能設定規格をＳＴＳ−３ｃ、連結数を４として変更することを指示するためのコマンドである。
【０１１４】
上記パス変更コマンドが通知されると、第２ＮＭＳ６０および第２ＮＭＳ６１は、第２ＥＭＳ５０１  、第２ＥＭＳ５０２  、第１ＥＭＳ２０１  および第１ＥＭＳ２０２  にパスの変更を実行させる。そして、パスの変更に成功した場合、第２ＮＭＳ６０および第２ＮＭＳ６１は、ネットワークレイヤ連携装置１００へ正常終了（ｔｒｕｅ）を通知する。一方、パスの変更に失敗した場合、第２ＮＭＳ６０および第２ＮＭＳ６１は、ネットワークレイヤ連携装置１００へ異常終了（ｆａｌｓｅ）を通知する。
【０１１５】
ステップＳＥ１３では、ネットワークレイヤ連携装置１００の制御部１０３は、第２ＮＭＳ６０よりパスの変更に関して正常終了が通知されたか否かを判断し、この場合、判断結果を「Ｙｅｓ」とする。なお、ステップＳＥ１３の判断結果が「Ｎｏ」である場合、制御部１０３は、ステップＳＥ１７で、異常終了の通知を受けたＮＭＳ（第２ＮＭＳ６０、第２ＮＭＳ６１）へキャンセルコマンド（例えば、ｃａｎｃｅｌ＿ｍｏｄｉｆｙ（４１０））を通知する。
【０１１６】
ステップＳＥ１４では、制御部１０３は、パスの変更を受けて、パス識別子（＝４００）に対応するテーブル１２０１  のエントリ、およびサブパス識別子（＝４１０および４１５）に対応するテーブル１２０６  のエントリをそれぞれ更新する。
【０１１７】
この場合、図２４に示したテーブル１２０１  のパス識別子（＝４００）のエントリにおける連結数が１から４（図２５参照）に更新される。図２５は、上述したリンク帯域幅設定処理を実行した後の各テーブルを示す図である。同様にして、図２４に示したテーブル１２０６  のサブパス識別子（＝４１０および４１５）の各エントリにおける連結数も１から４（図２５参照）に更新される。
【０１１８】
ステップＳＥ１５では、制御部１０３は、当該処理の起動元（この場合、第１ＮＭＳ３０）へ正常終了を通知した後、図９に示したメインルーチンへ戻る。
【０１１９】
なお、実施の形態２においても、実施の形態１と同様にして、テーブル登録処理（図１１参照）、テーブル削除処理（図１２参照）が実行され、テーブル１２０１  〜１２０６  のエントリの登録や削除が実行される。
【０１２０】
以上説明したように、実施の形態２によれば、第２レイヤ側を複数のサブパス（レイヤ要素）で構成し、テーブル１２０１  〜１２０６  等でリンク、パス、サブパスの情報を管理することとしたので、複雑な構成にもかかわらず、ネットワーク管理者の負担を軽減することができる。
【０１２１】
（実施の形態３）
さて、前述した実施の形態１および２においては、リンクおよびパスの他に、通信サービス（以下、単にサービスと称する）も管理対象としてもよい。以下では、この構成例を実施の形態３として説明する。
【０１２２】
図２６は、本発明にかかる実施の形態３の構成を示すブロック図である。この図において、図３の各部に対応する部分には同一の符号を付ける。同図においては、図３に示した第１ＥＭＳ２０１  および２０２  に代えて、第１ＥＭＳ２０１  〜２０４  が設けられているとともに、第１伝送装置１０１  〜１０４  、ユーザ装置Ｕ１  およびユーザ装置Ｕ２  が新たに設けられている。
【０１２３】
第１伝送装置１０１  〜１０４  は、前述した第１伝送規格（Ｅｔｈｅｒｎｅｔ（Ｒ））に基づいて、リンクＬ５００〜Ｌ５０３でパケットを伝送する装置である。具体的には、第１伝送装置１０１  と第１伝送装置１０２  との間には、リンクＬ５００が設定されている。このリンクＬ５００には、リンク識別子として５００が付与されている。
【０１２４】
第１伝送装置１０２  と第１伝送装置１０３  との間には、リンクＬ５０１が設定されている。このリンクＬ５０１には、リンク識別子として５０１が付与されている。第１伝送装置１０３  と第１伝送装置１０４  との間には、リンクＬ５０２が設定されている。このリンクＬ５０２には、リンク識別子として５０２が付与されている。
【０１２５】
同様にして、第１伝送装置１０１  と第１伝送装置１０４  との間には、リンクＬ５０３が設定されている。このリンクＬ５０３には、リンク識別子として５０３が付与されている。
【０１２６】
第１ＥＭＳ２０１  は、再起動、リンクの設定や解除等について、第１伝送装置１０１  を直接管理する。第１ＥＭＳ２０２  〜２０４  も、接続線を省略しているが、第１ＥＭＳ２０１  と同様にして、再起動、リンクの設定や解除等について、第１伝送装置１０２  〜１０４  を直接管理する。
【０１２７】
ユーザ装置Ｕ１  およびユーザ装置Ｕ２  は、サービスＳ６００を利用するユーザ側に設置されており、第１伝送装置１０１  および第１伝送装置１０３  に接続されている。
【０１２８】
ここで、サービスＳ６００は、例えば、リンクＬ５００およびリンクＬ５０１で構成されるＶＬＡＮ（Ｖｉｒｔｕａｌ  Ｌｏｃａｌ  Ａｒｅａ  Ｎｅｔｗｏｒｋ）のサービス（ＩＥＥＥ  ８０２．３参照）であり、ＶＬＡＮの機能をユーザに提供する。このサービスＳ６００には、サービス識別子として、６００が付与されている。
【０１２９】
なお、図２６においては、第２ＮＭＳ６０により管理される複数の第２伝送装置（例えば、第２伝送装置４０１  、４０２  、・・・（図１参照））が図示が省略されている。これらの複数の第２伝送装置は、リンクＬ５００〜Ｌ５０３のそれぞれに対応する各パス（図示略）を設定する。
【０１３０】
また、実施の形態３においては、ネットワークレイヤ連携装置１００のテーブル格納部１１０には、テーブル１２０７  およびテーブル１２０８  が新たに格納されている。
【０１３１】
このテーブル１２０７  は、図３２（ａ）に示したように、「サービス識別子」、「リンク識別子」および「ステータス」というフィールドを備えている。「サービス識別子」は、リンクに対応づけられたサービス（図２６の例では、サービスＳ６００（ＶＬＡＮサービス））を識別するための識別子である。「リンク識別子」は、上記「サービス」に対応するリンクを識別するための識別子である。「ステータス」は、サービスの状態（サービス中、サービス外（停止）等）を表す。
【０１３２】
テーブル１２０８  は、図３３（ａ）に示したように、「サービス識別子」、「ステータス」および「要求品質（通知待ち時間）」というフィールドを備えている。「サービス識別子」および「ステータス」は、上述したテーブル１２０７（図３２（ａ）参照）の「サービス識別子」および「ステータス」に対応している。「要求品質（通知待ち時間）」は、サービス停止等の障害が発生してからネットワーク管理者へ通知するまでの待機時間を表す。
【０１３３】
つぎに、実施の形態３の動作について、図２７〜図３１に示したフローチャート、図３２〜図３８を参照しつつ説明する。
【０１３４】
（第１登録処理）
はじめに、図３２（ａ）に示したテーブル１２０７  にエントリを登録するための第１登録処理について説明する。図２６において、ネットワーク管理者は、第１ＮＭＳ３０に、サービスＳ６００のサービス識別子として６００と、サービスＳ６００に対応するリンクＬ５００およびＬ５０１のリンク識別子として５００および５０１と、サービスのステータスとしてサービス中とを設定する。
【０１３５】
第１ＮＭＳ３０は、これらのサービス識別子、リンク識別子およびステータスをネットワークレイヤ連携装置１００へ通知する。これにより、図２７に示したステップＳＦ１では、制御部１０３は、第１ＮＭＳ３０から上記サービス識別子（＝６００）、リンク識別子（＝５００、５０１）およびステータス（＝サービス中）を取得する。
【０１３６】
ステップＳＦ２では、制御部１０３は、ステップＳＦ１で取得したサービス識別子をキーとして、図３２（ａ）に示したテーブル１２０７  からエントリを抽出する。ここで、図３２（ａ）は、第１登録処理を実行する前のテーブル１２０７  を示す図である。同図に示したテーブル１２０７  には、いずれのエントリも登録されてない。
【０１３７】
ステップＳＦ３では、制御部１０３は、エントリを抽出できたか否かを判断し、この場合、判断結果を「Ｎｏ」とする。ステップＳＦ４では、制御部１０３は、図３２（ｂ）に示したように、テーブル１２０７  にエントリ（サービス識別子（＝６００）、リンク識別子（＝５００、５０１）、ステータス（＝サービス中））を追加する。
【０１３８】
一方、ステップＳＦ３の判断結果が「Ｙｅｓ」である場合、ステップＳＦ５では、制御部１０３は、ネットワーク管理者に、当該エントリを追加するかまたは上書きするかを問い合わせる。
【０１３９】
ここで、ネットワーク管理者により追加が指示された場合、ステップＳＦ４では、制御部１０３は、テーブル１２０７  に当該エントリを追加する。一方、ネットワーク管理者により上書きが指示された場合、ステップＳＦ６では、制御部１０３は、テーブル１２０７  にすでに登録済みのエントリに、当該エントリを上書きする。
【０１４０】
（第２登録処理）
つぎに、図３３（ａ）に示したテーブル１２０８  にエントリを登録するための第２登録処理について説明する。図２６において、ネットワーク管理者は、第１ＮＭＳ３０に、サービスＳ６００のサービス識別子として６００と、サービスのステータスとしてサービス中と、要求品質（通知待ち時間）として１５分を設定する。
【０１４１】
第１ＮＭＳ３０は、これらのサービス識別子、ステータスおよび要求品質（通知待ち時間）をネットワークレイヤ連携装置１００へ通知する。これにより、図２８に示したステップＳＧ１では、制御部１０３は、第１ＮＭＳ３０から上記サービス識別子（＝６００）、ステータス（＝サービス中）および要求品質（＝１５分）を取得する。
【０１４２】
ステップＳＧ２では、制御部１０３は、ステップＳＧ１で取得したサービス識別子をキーとして、図３３（ａ）に示したテーブル１２０８  からエントリを抽出する。ここで、図３３（ａ）は、第２登録処理を実行する前のテーブル１２０８  を示す図である。同図に示したテーブル１２０８  には、いずれのエントリも登録されてない。
【０１４３】
ステップＳＧ３では、制御部１０３は、エントリを抽出できたか否かを判断し、この場合、判断結果を「Ｎｏ」とする。ステップＳＧ４では、制御部１０３は、図３３（ｂ）に示したように、テーブル１２０８  にエントリ（サービス識別子（＝６００）、ステータス（＝サービス中）、要求品質（＝１５分）を追加する。
【０１４４】
一方、ステップＳＧ３の判断結果が「Ｙｅｓ」である場合、ステップＳＧ５では、制御部１０３は、ネットワーク管理者に、当該エントリを追加するかまたは上書きするかを問い合わせる。
【０１４５】
ここで、ネットワーク管理者により追加が指示された場合、ステップＳＧ４では、制御部１０３は、テーブル１２０８  に当該エントリを追加する。一方、ネットワーク管理者により上書きが指示された場合、ステップＳＧ６では、制御部１０３は、テーブル１２０８  にすでに登録済みのエントリに、当該エントリを上書きする。
【０１４６】
（削除処理）
つぎに、パスの設定解除に伴って、図３４に示したテーブル１２０１  〜１２０４  およびテーブル１２０７  のエントリを削除するための削除処理について説明する。
【０１４７】
図２６において、ネットワーク管理者は、図３４に示したパスＰ４００（パス識別子＝４００）の設定を解除（削除）すべく、第２ＮＭＳ６０に、パス設定解除コマンド（例えば、ｒｅｌｅａｓｅ（４００））を入力する。
【０１４８】
これにより、第２ＮＭＳ６０は、当該パスの設定解除が可能であるか否かを判定する。例えば、当該パスが試験中の場合には、設定解除が不可とされる。この場合、設定解除が可能であるとすると、第２ＮＭＳ６０は、パスの設定を解除した後、ネットワークレイヤ連携装置１００に対して、パス設定解除通知を出す。
【０１４９】
これにより、図２９に示したステップＳＨ１では、ネットワークレイヤ連携装置１００の制御部１０３は、第２ＮＭＳ６０から、設定解除されたパスに対応するパス識別子（この場合、パス識別子＝４００）を取得する。
【０１５０】
ステップＳＨ２では、制御部１０３は、上記パス識別子（＝４００）をキーとして、図３４に示したテーブル１２０１  からリンク識別子（この場合、５００）を取得する。図３４は、削除処理を実行する前の各テーブルを示す図である。
【０１５１】
ステップＳＨ３では、制御部１０３は、ステップＳＨ２でリンク識別子を取得できたか否かを判断し、この場合、判断結果を「Ｙｅｓ」とする。なお、ステップＳＨ３の判断結果が「Ｎｏ」である場合、ステップＳＨ１１では、制御部１０３は、当該処理の起動元（この場合、第２ＮＭＳ６０）へ異常終了を通知する。
【０１５２】
ステップＳＨ４では、制御部１０３は、ステップＳＨ２で取得したリンク識別子（＝５００）をキーとして、図３４に示したテーブル１２０７  からステータスを取得する。ステップＳＨ５では、制御部１０３は、ステータスがサービス中であるか否かを判断する。
【０１５３】
ステップＳＨ５の判断結果が「Ｎｏ」である場合、ステップＳＨ６では、制御部１０３は、ステップＳＨ２で取得したリンク識別子（＝５００）をキーとして、図３４に示したテーブル１２０４  からＮＭＳ識別子（＝１０．２０．２４４．５）を取得する。
【０１５４】
一方、ＳＨ５の判断結果が「Ｙｅｓ」である場合、すなわち、ステータスがサービス中である場合、ステップＳＨ１１では、制御部１０３は、当該処理の起動元（この場合、第２ＮＭＳ６０）へ異常終了を通知し、パスの設定解除を中止させる。
【０１５５】
ステップＳＨ７では、制御部１０３は、リンク識別子（＝５００）に対応するリンクＬ５００の設定を解除（削除）すべく、上記ＮＭＳ識別子（＝１０．２０．２４４．５）に対応する第１ＮＭＳ３０へ、リンク設定解除コマンド（例えば、ｒｅｌｅａｓｅ（５００））を通知する。
【０１５６】
これにより、第１ＮＭＳ３０は、当該リンクの設定解除が可能であるか否かを判定する。この場合、設定解除が可能であるとすると、第１ＮＭＳ３０は、当該リンクの設定を解除した後、ネットワークレイヤ連携装置１００に対して、正常終了（ｔｒｕｅ）を応答する。なお、解除不可ならば、第１ＮＭＳ３０は、異常終了（ｆａｌｓｅ）を応答する。
【０１５７】
ステップＳＨ８では、制御部１０３は、第１ＮＭＳ３０より正常終了が通知されたか否かを判断し、この場合、判断結果を「Ｙｅｓ」とする。なお、ステップＳＨ８の判断結果が「Ｎｏ」である場合、ステップＳＨ１１では、制御部１０３は、当該処理の起動元（第２ＮＭＳ６０）へ異常終了を通知する。
【０１５８】
ステップＳＨ９では、制御部１０３は、図３５に示したように、テーブル１２０１  〜１２０４  、テーブル１２０７  から、設定が解除されたパス、リンク、サービスに対応するパス識別子、リンク識別子、サービス識別子を含むエントリを削除する。ステップＳＨ１０では、制御部１０３は、当該処理の起動元（この場合、第２ＮＭＳ６０）へ正常終了を通知する。
【０１５９】
（障害通知処理）
つぎに、図３６に示したパスＰ４００（リンクＬ５００）に発生した障害をネットワーク管理者へ通知するための障害通知処理について説明する。
【０１６０】
同図において、パスＰ４００で障害（サービス停止）が発生すると（▲１▼）、第２ＮＭＳ６０は、障害を検知し（▲２▼）、ネットワークレイヤ連携装置１００へ障害が発生している旨を通知する（▲３▼）。
【０１６１】
これにより、図３０に示したステップＳＩ１では、ネットワークレイヤ連携装置１００の制御部１０３は、第２ＮＭＳ６０から、障害発生パス（この場合、パスＰ４００）に対応するパス識別子（この場合、４００）を取得する。
【０１６２】
ステップＳＩ２では、制御部１０３は、ステップＳＩ１で取得したパス識別子（＝４００）をキーとして、図３７に示したテーブル１２０１  からリンク識別子（＝５００）を取得する。図３７は、障害通知処理を実行する前の各テーブルを示す図である。
【０１６３】
ステップＳＩ３では、制御部１０３は、ステップＳＩ２でリンク識別子を取得できたか否かを判断し、この場合、判断結果を「Ｙｅｓ」とする。この場合、制御部１０３は、リンク識別子（＝５００）に対応するリンクＬ５００（図３６参照）に障害の影響があることを認識する。なお、ステップＳＩ３の判断結果が「Ｎｏ」である場合、障害通知処理が終了される。
【０１６４】
ステップＳＩ４では、制御部１０３は、ステップＳＩ２で取得したリンク識別子（＝５００）をキーとして、図３７に示したテーブル１２０４  からＮＭＳ識別子（＝１０．２０．２４４．５）を取得した後、ＮＭＳ識別子（＝１０．２０．２４４．５）に対応する第１ＮＭＳ３０へリンクＬ５００で障害が発生している旨を通知する（図３６：▲４▼）。
【０１６５】
ステップＳＩ５では、制御部１０３は、リンク識別子（＝５００）をキーとして、図３７に示したテーブル１２０７  からサービス識別子（＝６００）を取得する。ステップＳＩ６では、制御部１０３は、サービス識別子を取得できたか否かを判断し、この場合、判断結果を「Ｙｅｓ」とする。なお、ステップＳＩ６の判断結果が「Ｎｏ」である場合、障害通知処理が終了される。
【０１６６】
ステップＳＩ７では、制御部１０３は、図３８に示したように、テーブル１２０８  における当該エントリ（サービス識別子６００）のステータスに障害発生時刻（Ｆａｉｌ  １０：２０）を登録する（図３６：▲５▼）。障害発生時刻は、第２ＮＭＳ６０から障害を通知された時刻である。
【０１６７】
また、図３１に示したステップＳＪ１では、制御部１０３は、図３８に示したテーブル１２０８  から、経過時間（障害発生時刻（１０：２０）〜現在時刻）が要求品質（通知待ち時間：１５分）以上のエントリを取得する。ステップＳＪ２では、制御部１０３は、ステップＳＪ１でエントリを取得できたか否かを判断し、この場合、判断結果を「Ｎｏ」とする。なお、現在時刻については、図示しないタイマにより計時される。
【０１６８】
ステップＳＪ３では、制御部１０３は、１分待機する。以後、ステップＳＪ２の判断結果が「Ｙｅｓ」になるまで、１分毎に経過時間がチェックされる。そして、経過時間が通知待ち時間以上になると、制御部１０３は、ステップＳＪ２の判断結果を「Ｙｅｓ」とする。
【０１６９】
ステップＳＪ３では、制御部１０３は、ネットワーク管理者へ、図３６に示したパスＰ４００、リンクＬ５００およびサービスＳ６００に影響する障害が発生している旨を表示部１０１を介して通知する（図３６：▲６▼）。
【０１７０】
以上説明したように、実施の形態３によれば、サービスに関するサービス識別子をテーブル１２０７  （図３２（ｂ）参照）でリンク、パスに対応づけて管理し、構成の変更に伴ってリンク、パス、サービスの情報を自動更新することとしたので、サービス管理も行え、ネットワーク管理者の負担を軽減することができる。
【０１７１】
また、実施の形態３によれば、図２９を参照して説明したように、通信サービスを提供中である場合、第２ＮＭＳ６０へ構成の変更（パスの設定解除）が不可であることを通知することとしたので、サービス中に変更に伴って通信サービスを停止させるという障害を回避することができる。
【０１７２】
また、実施の形態３によれば、図３６を参照して説明したように、第２ＮＭＳ６０から障害発生の通知を受けた場合、他方の第１ＮＭＳ３０へ障害発生を通知し、障害発生してから所定時間経過後に、ネットワーク管理者へも通知することとしたので、障害通知についてもネットワーク管理者の負担を軽減することができる。
【０１７３】
以上本発明にかかる実施の形態１〜３について図面を参照して詳述してきたが、具体的な構成例はこれらの実施の形態１〜３に限られるものではなく、本発明の要旨を逸脱しない範囲の設計変更等があっても本発明に含まれる。
【０１７４】
例えば、前述した実施の形態１〜３においては、ネットワークレイヤ連携装置１００の機能を実現するためのプログラムを図３９に示したコンピュータ読み取り可能な記録媒体３００に記録して、この記録媒体３００に記録されたプログラムを同図に示したコンピュータ２００に読み込ませ、実行することにより各機能を実現してもよい。
【０１７５】
同図に示したコンピュータ２００は、上記プログラムを実行するＣＰＵ（Ｃｅｎｔｒａｌ  Ｐｒｏｃｅｓｓｉｎｇ  Ｕｎｉｔ）２１０と、キーボード、マウス等の入力装置２２０と、各種データを記憶するＲＯＭ（Ｒｅａｄ  Ｏｎｌｙ  Ｍｅｍｏｒｙ）２３０と、演算パラメータ等を記憶するＲＡＭ（Ｒａｎｄｏｍ  Ａｃｃｅｓｓ  Ｍｅｍｏｒｙ）２４０と、記録媒体３００からプログラムを読み取る読取装置２５０と、ディスプレイ、プリンタ等の出力装置２６０と、装置各部を接続するバス２７０とから構成されている。
【０１７６】
ＣＰＵ２１０は、読取装置２５０を経由して記録媒体３００に記録されているプログラムを読み込んだ後、プログラムを実行することにより、前述した機能を実現する。なお、記録媒体３００としては、光ディスク、フレキシブルディスク、ハードディスク等が挙げられる。
【０１７７】
（付記１）コンピュータを、
第１ネットワークレイヤの構成に関する第１構成情報と第２ネットワークレイヤの構成に関する第２構成情報との対応関係を管理し、構成の変更に伴って該第１構成情報、該第２構成情報を自動更新する管理手段、
前記第１ネットワークレイヤ、前記第２ネットワークレイヤのうちいずれか一方のネットワークレイヤで構成の変更がある場合、変更を要する他方のネットワークレイヤに構成の変更を指示する連携手段、
として機能させるためのネットワークレイヤ連携プログラム。
【０１７８】
（付記２）前記連携手段は、前記第１ネットワークレイヤで帯域幅の変更がある場合、前記第２ネットワークレイヤへ前記帯域幅の変更に関連する変更指示を出すことを特徴とする付記１に記載のネットワークレイヤ連携プログラム。
【０１７９】
（付記３）前記第２ネットワークレイヤは、複数のレイヤ要素から構成されており、前記管理手段は、前記複数のレイヤ要素毎の第２構成情報と、前記第１構成情報との対応関係を管理することを特徴とする付記１または２に記載のネットワークレイヤ連携プログラム。
【０１８０】
（付記４）前記管理手段は、前記第１ネットワークレイヤおよび前記第２ネットワークレイヤにより提供される通信サービスに関するサービス情報を、前記第１構成情報および前記第２構成情報に対応づけて管理し、前記構成の変更に伴って該第１構成情報、該第２構成情報、前記サービス情報を自動更新することを特徴とする付記１〜３のいずれか一つに記載のネットワークレイヤ連携プログラム。
【０１８１】
（付記５）前記連携手段は、前記通信サービスを提供中である場合、前記ネットワークレイヤへ構成の変更が不可であることを通知することを特徴とする付記４に記載のネットワークレイヤ連携プログラム。
【０１８２】
（付記６）前記連携手段は、一方のネットワークレイヤから障害発生の通知を受けた場合、他方のネットワークレイヤへ障害発生を通知することを特徴とする付記１〜５のいずれか一つに記載のネットワークレイヤ連携プログラム。
【０１８３】
（付記７）前記連携手段は、障害発生してから、予め設定された時間が経過した場合、ネットワーク管理者へ障害発生を通知することを特徴とする付記６に記載のネットワークレイヤ連携プログラム。
【０１８４】
（付記８）前記第１ネットワークレイヤは、リンクを有する構成とされており、前記第２ネットワークレイヤは、前記リンクで利用されるパスを有する構成とされていることを特徴とする付記１〜７のいずれか一つに記載のネットワークレイヤ連携プログラム。
【０１８５】
（付記９）第１ネットワークレイヤの構成に関する第１構成情報と第２ネットワークレイヤの構成に関する第２構成情報との対応関係を管理し、構成の変更に伴って該第１構成情報、該第２構成情報を自動更新する管理手段と、
前記第１ネットワークレイヤ、前記第２ネットワークレイヤのうちいずれか一方のネットワークレイヤで構成の変更がある場合、変更を要する他方のネットワークレイヤに構成の変更を指示する連携手段と、
を備えたことを特徴とするネットワークレイヤ連携装置。
【０１８６】
（付記１０）前記連携手段は、前記第１ネットワークレイヤで帯域幅の変更がある場合、前記第２ネットワークレイヤへ前記帯域幅の変更に関連する変更指示を出すことを特徴とする付記９に記載のネットワークレイヤ連携装置。
【０１８７】
（付記１１）前記第２ネットワークレイヤは、複数のレイヤ要素から構成されており、前記管理手段は、前記複数のレイヤ要素毎の第２構成情報と、前記第１構成情報との対応関係を管理することを特徴とする付記９または１０に記載のネットワークレイヤ連携装置。
【０１８８】
（付記１２）前記管理手段は、前記第１ネットワークレイヤおよび前記第２ネットワークレイヤにより提供される通信サービスに関するサービス情報を、前記第１構成情報および前記第２構成情報に対応づけて管理し、前記構成の変更に伴って該第１構成情報、該第２構成情報、前記サービス情報を自動更新することを特徴とする付記９〜１１のいずれか一つに記載のネットワークレイヤ連携装置。
【０１８９】
（付記１３）前記連携手段は、前記通信サービスを提供中である場合、前記ネットワークレイヤへ構成の変更が不可であることを通知することを特徴とする付記１２に記載のネットワークレイヤ連携装置。
【０１９０】
（付記１４）前記連携手段は、一方のネットワークレイヤから障害発生の通知を受けた場合、他方のネットワークレイヤへ障害発生を通知することを特徴とする付記９〜１３のいずれか一つに記載のネットワークレイヤ連携装置。
【０１９１】
（付記１５）前記連携手段は、障害発生してから、予め設定された時間が経過した場合、ネットワーク管理者へ障害発生を通知することを特徴とする付記１４に記載のネットワークレイヤ連携装置。
【０１９２】
（付記１６）前記第１ネットワークレイヤは、リンクを有する構成とされており、前記第２ネットワークレイヤは、前記リンクで利用されるパスを有する構成とされていることを特徴とする付記９〜１５のいずれか一つに記載のネットワークレイヤ連携装置。
【０１９３】
（付記１７）第１ネットワークレイヤの構成に関する第１構成情報と第２ネットワークレイヤの構成に関する第２構成情報との対応関係を管理し、構成の変更に伴って該第１構成情報、該第２構成情報を自動更新する管理工程と、
前記第１ネットワークレイヤ、前記第２ネットワークレイヤのうちいずれか一方のネットワークレイヤで構成の変更がある場合、変更を要する他方のネットワークレイヤに構成の変更を指示する連携工程と、
を含むことを特徴とするネットワークレイヤ連携方法。
【０１９４】
（付記１８）前記連携工程では、前記第１ネットワークレイヤで帯域幅の変更がある場合、前記第２ネットワークレイヤへ前記帯域幅の変更に関連する変更指示を出すことを特徴とする付記１７に記載のネットワークレイヤ連携方法。
【０１９５】
（付記１９）前記第２ネットワークレイヤは、複数のレイヤ要素から構成されており、前記管理工程では、前記複数のレイヤ要素毎の第２構成情報と、前記第１構成情報との対応関係を管理することを特徴とする付記１７または１８に記載のネットワークレイヤ連携方法。
【０１９６】
（付記２０）前記管理工程では、前記第１ネットワークレイヤおよび前記第２ネットワークレイヤにより提供される通信サービスに関するサービス情報を、前記第１構成情報および前記第２構成情報に対応づけて管理し、前記構成の変更に伴って該第１構成情報、該第２構成情報、前記サービス情報を自動更新することを特徴とする付記１７〜１９のいずれか一つに記載のネットワークレイヤ連携方法。
【０１９７】
（付記２１）前記連携工程では、前記通信サービスを提供中である場合、前記ネットワークレイヤへ構成の変更が不可であることを通知することを特徴とする付記２０に記載のネットワークレイヤ連携方法。
【０１９８】
（付記２２）前記連携工程では、一方のネットワークレイヤから障害発生の通知を受けた場合、他方のネットワークレイヤへ障害発生を通知することを特徴とする付記１７〜２１のいずれか一つに記載のネットワークレイヤ連携方法。
【０１９９】
（付記２３）前記連携工程では、障害発生してから、予め設定された時間が経過した場合、ネットワーク管理者へ障害発生を通知することを特徴とする付記２２に記載のネットワークレイヤ連携方法。
【０２００】
（付記２４）前記第１ネットワークレイヤは、リンクを有する構成とされており、前記第２ネットワークレイヤは、前記リンクで利用されるパスを有する構成とされていることを特徴とする付記１７〜２３のいずれか一つに記載のネットワークレイヤ連携方法。
【０２０１】
【発明の効果】
以上説明したように、本発明によれば、第１ネットワークレイヤの構成に関する第１構成情報と第２ネットワークレイヤの構成に関する第２構成情報との対応関係を管理し、構成の変更に伴って該第１構成情報、該第２構成情報を自動更新し、第１ネットワークレイヤ、第２ネットワークレイヤのうちいずれか一方のネットワークレイヤで構成の変更がある場合、変更を要する他方のネットワークレイヤに構成の変更を指示することとしたので、ネットワーク管理者の負担を軽減することができるという効果を奏する。
【０２０２】
また、本発明によれば、第１ネットワークレイヤで帯域幅の変更がある場合、第２ネットワークレイヤへ帯域幅の変更に関連する変更指示を出すこととしたので、帯域幅変更に伴うネットワーク管理者の負担を軽減することができるという効果を奏する。
【図面の簡単な説明】
【図１】本発明にかかる実施の形態１の構成を示すブロック図である。
【図２】同実施の形態１における各部の階層構造を表すブロック図である。
【図３】図１および図２に示したネットワークレイヤ連携装置１００の構成を示すブロック図である。
【図４】図３に示したテーブル１２０１  を示す図である。
【図５】図３に示したテーブル１２０２  を示す図である。
【図６】図３に示したテーブル１２０３  を示す図である。
【図７】図３に示したテーブル１２０４  を示す図である。
【図８】図３に示したテーブル１２０５  を示す図である。
【図９】本発明にかかる実施の形態１および２におけるネットワークレイヤ連携装置１００の動作を説明するフローチャートである。
【図１０】図９に示したリンク帯域幅設定処理を説明するフローチャートである。
【図１１】図９に示したテーブル登録処理を説明するフローチャートである。
【図１２】図９に示したテーブル削除処理を説明するフローチャートである。
【図１３】同実施の形態１におけるリンク帯域幅設定処理を実行する前の各テーブルを示す図である。
【図１４】同実施の形態１におけるリンク帯域幅設定処理を実行した後の各テーブルを示す図である。
【図１５】同実施の形態１におけるテーブル登録処理を説明するブロック図である。
【図１６】同実施の形態１におけるテーブル登録処理を実行する前の各テーブルを示す図である。
【図１７】同実施の形態１におけるテーブル登録処理を実行した後の各テーブルを示す図である。
【図１８】同実施の形態１におけるテーブル削除処理を実行する前の各テーブルを示す図である。
【図１９】同実施の形態１におけるテーブル削除処理を実行した後の各テーブルを示す図である。
【図２０】本発明にかかる実施の形態２の構成を示すブロック図である。
【図２１】図２０に示したネットワークレイヤ連携装置１００の構成を示すブロック図である。
【図２２】図２１に示したテーブル１２０６  を示す図である。
【図２３】同実施の形態２におけるリンク帯域幅設定処理を説明するフローチャートである。
【図２４】同実施の形態２におけるリンク帯域幅設定処理を実行する前の各テーブルを示す図である。
【図２５】同実施の形態２におけるリンク帯域幅設定処理を実行した後の各テーブルを示す図である。
【図２６】本発明にかかる実施の形態３の構成を示すブロック図である。
【図２７】同実施の形態３における第１登録処理を説明するフローチャートである。
【図２８】同実施の形態３における第２登録処理を説明するフローチャートである。
【図２９】同実施の形態３における削除処理を説明するフローチャートである。
【図３０】同実施の形態３における障害通知処理を説明するフローチャートである。
【図３１】同実施の形態３における障害通知処理を説明するフローチャートである。
【図３２】同実施の形態３における第１登録処理の実行前後のテーブル１２０７  を示す図である。
【図３３】同実施の形態３における第２登録処理の実行前後のテーブル１２０８  を示す図である。
【図３４】同実施の形態３における削除処理を実行する前の各テーブルを示す図である。
【図３５】同実施の形態３における削除処理を実行した後の各テーブルを示す図である。
【図３６】同実施の形態３における障害通知処理を説明するブロック図である。
【図３７】同実施の形態３における障害通知処理を実行する前の各テーブルを示す図である。
【図３８】同実施の形態３における障害通知処理を実行した後の各テーブルを示す図である。
【図３９】本発明にかかる実施の形態１〜３の変形例の構成を示すブロック図である。
【図４０】従来の階層型ネットワークのシステム構成を示すブロック図である。
【符号の説明】
１０１  〜１０４  第１伝送装置
２０１  〜２０４  第１ＥＭＳ
３０  第１ＮＭＳ
４０１  、４０２  第２伝送装置
５０１  第２ＥＭＳ
６０  第２ＮＭＳ
１００  ネットワークレイヤ連携装置
１０１  表示部
１０３  制御部
１１０  テーブル格納部
２００  コンピュータ
【図１】
2004304728.tif 000003
【図２】
2004304728.tif 000004
【図３】
2004304728.tif 000005
【図４】
2004304728.tif 000006
【図５】
2004304728.tif 000007
【図６】
2004304728.tif 000008
【図７】
2004304728.tif 000009
【図８】
2004304728.tif 000010
【図９】
2004304728.tif 000011
【図１０】
2004304728.tif 000012
【図１１】
2004304728.tif 000013
【図１２】
2004304728.tif 000014
【図１３】
2004304728.tif 000015
【図１４】
2004304728.tif 000016
【図１５】
2004304728.tif 000017
【図１６】
2004304728.tif 000018
【図１７】
2004304728.tif 000019
【図１８】
2004304728.tif 000020
【図１９】
2004304728.tif 000021
【図２０】
2004304728.tif 000022
【図２１】
2004304728.tif 000023
【図２２】
2004304728.tif 000024
【図２３】
2004304728.tif 000025
【図２４】
2004304728.tif 000026
【図２５】
2004304728.tif 000027
【図２６】
2004304728.tif 000028
【図２７】
2004304728.tif 000029
【図２８】
2004304728.tif 000030
【図２９】
2004304728.tif 000031
【図３０】
2004304728.tif 000032
【図３１】
2004304728.tif 000033
【図３２】
2004304728.tif 000034
【図３３】
2004304728.tif 000035
【図３４】
2004304728.tif 000036
【図３５】
2004304728.tif 000037
【図３６】
2004304728.tif 000038
【図３７】
2004304728.tif 000039
【図３８】
2004304728.tif 000040
【図３９】
2004304728.tif 000041
【図４０】
2004304728.tif 000042